【手続補正書】
【提出日】平成24年3月8日(2012.3.8)
【手続補正１】
【補正対象書類名】明細書
【補正対象項目名】０００７
【補正方法】変更
【補正の内容】
【０００７】
管理用ＵＳＢキー上のデータカテゴリの１つは、コールバックデータである。このデータは、ネットワーク要素が、ハンドヘルドデバイス、ラップトップ型コンピュータ、タブレット型コンピュータ、又はデスクトップ型ネットワークワークステーションなどのネットワーク管理者デバイス（「管理者デバイス」と総称される）との接続を開始するために使用することができる。コールバックデータは、管理者デバイスのＩＰアドレス、それらのデイバスのためのダイヤルインデータ、ボイスオーバＩＰ（ＶｏＩＰ）データ、インスタントメッセージ（ＩＭ）データ、ｅ−ｍａｉｌアドレスなどを含んでよい。管理者デバイスとの接続を確立するために、ネットワーク要素によって、最も適切なコールバックデータが使用される。接続がなされたら、ネットワーク管理者は、そのネットワーク要素の管理を開始することができる。接続は、（例えばラップトップ型コンピュータ又はＰＤＡとの）無線接続であってもよいし、又は広域ネットワークの場合は異なる地理的位置にあることがあるデスクトップ型ワークステーションコンピュータへのネットワークを通じた有線接続であってもよい。このようにすれば、ネットワーク管理者は、ネットワーク要素に接続する際に、時間及び努力を費やす必要がない。ネットワーク要素に適した「コンタクト情報」を見つける必要性は、時間がかかる煩わしい作業であることが多く、これは、ネットワークが大規模に成長し、時間とともにネットワーク要素が再設定された場合などに、特にあてはまる。ネットワーク要素に管理者デバイスとの接続を自動的に行わせることによって、管理者は、反対方向への接続をなすために必要とされる必須のステップではなく、要素の実際の管理に集中することができる。
本発明は、以下の形態で実現可能である。
[形態１］
ネットワーク管理装置であって、
ネットワークに関連する公開キーデータを有する第１のストレージデバイスであって、前記データは、ルート証明機関データ及び複数のＩＰアドレスを含む、第１のストレージデバイスと、
ネットワークデータ及び命令スクリプトを有する第２のストレージデバイスであって、前記命令スクリプトは、前記第２のストレージデバイスがネットワーク要素に挿入されたときに前記ネットワーク要素の特定の動作を導き、前記第２のストレージデバイス上の前記ネットワークデータ及び前記命令スクリプトは、前記第１のストレージデバイスに格納された前記公開キーデータを使用して署名される、第２のストレージデバイスと、
を備えるネットワーク管理装置。
[形態２］
形態１に記載のネットワーク管理装置であって、
前記第１のストレージデバイスは、更に、ネットワーク属性データを有する、ネットワーク管理装置。
[形態３］
形態１及び２に記載のネットワーク管理装置であって、
前記第１のストレージデバイスは、更に、セキュリティ証明書データを有する、ネットワーク管理装置。
[形態４］
形態１、２、及び３に記載のネットワーク管理装置であって、
前記第１のストレージデバイスは、更に、ＤＮＳサーバ名及びアドレスを有する、ネットワーク管理装置。
[形態５］
形態１、２、３、及び４に記載のネットワーク管理装置であって、
前記第１のストレージデバイスは、更に、ゲートウェイデータを有する、ネットワーク管理装置。
[形態６］
形態１、２、３、４、及び５に記載のネットワーク管理装置であって、
前記第２のストレージデバイスは、更に、コールバックデータを有する、ネットワーク管理装置。
[形態７］
形態６に記載のネットワーク管理装置であって、
前記コールバックデータは、ネットワーク管理コンピュータデバイスと前記ネットワーク要素との間のＩＰ接続を可能にするために、前記コンピュータデバイスのＩＰアドレスを含む、ネットワーク管理装置。
[形態８］
形態６に記載のネットワーク管理装置であって、
前記コールバックデータは、前記ネットワーク要素から前記管理コンピュータデバイスへのボイスオーバＩＰコールを可能にするために、ヴォイスオーバＩＰデータを含む、ネットワーク管理装置。
[形態９］
形態１、２、３、４、５、及び６に記載のネットワーク管理装置であって、
前記第２のストレージデバイスは、更に、要素製造データ、要素タイプ、及びモデルデータを含むネットワーク要素データを有する、ネットワーク管理装置。
[形態１０］
形態９に記載のネットワーク管理装置であって、
前記第２のストレージデバイスは、更に、ネットワーク要素ＩＰアドレス及びプロトコルを有する、ネットワーク管理装置。
[形態１１］
形態９及び１０に記載のネットワーク管理装置であって、
前記第２のストレージデバイスは、更に、シャットダウンデータを有する、ネットワーク管理装置。
[形態１２］
形態１、２、３、４、５、６、及び９に記載のネットワーク管理装置であって、
前記第１及び第２のストレージデバイスは、ＵＳＢキーである、ネットワーク管理装置。
[形態１３］
形態１、２、３、４、５、６、９、及び１２に記載のネットワーク管理装置であって、
前記第１及び第２のストレージデバイスは、Ｕ３キーである、ネットワーク管理装置。
[形態１４］
ネットワークを管理する方法であって、
ネットワークに関連する公開キー情報を第１のポータブルストレージデバイスに格納することと、
ネットワークデータ及びスクリプトを第２のポータブルストレージデバイスに格納することと、
前記第１のストレージデバイスを使用して、ネットワーク要素をプロビジョニングすることと、
前記第２のストレージデバイス及び管理要素を使用して、前記ネットワーク要素を管理することであって、前記ネットワーク要素は、前記管理要素との接続を開始及び確立する、ことと、
前記第２のストレージデバイスの使用を止めることによって、前記管理要素との接続を切断することと、
を備える方法。
[形態１５］
形態１４に記載の方法であって、
公開キー情報を格納することは、ルート証明機関データ、ＩＰアドレス、ゲートウェイデータ、及びネットワークアクセス情報の１つ又は２つ以上を格納することを含む、方法。
[形態１６］
形態１４及び１５に記載の方法であって、更に、
前記公開キー情報をネットワーク管理ワークステーションから取り出すことを備える方法。
[形態１７］
形態１４、１５、及び１６に記載の方法であって、
ネットワークデータ及びスクリプトを格納することは、更に、前記第２のストレージデバイスにコールバックデータを格納することを含み、前記コールバックデータは、ネットワーク管理デバイスＩＰアドレス、ヴォイスオーバＩＰデータ、インスタントメッセージデータ、及びダイヤルインデータを含む、方法。
[形態１８］
形態１４、１５、１６、及び１７に記載の方法であって、更に、
前記第２のポータブルストレージデバイスに格納された前記データにデジタル署名を適用することを備える方法。
[形態１９］
形態１４、１５、１６、１７、及び１８に記載の方法であって、
ネットワーク要素をプロビジョニングすることは、更に、前記第１のポータブルストレージデバイス上のデータを前記ネットワーク要素で読み出し、前記データを前記ネットワーク要素上で実行することを含み、前記ネットワーク要素は、前記第２のストレージデバイスに格納されたデータを安全に受け入れるように構成される、方法。
[形態２０］
形態１４、１５、１６、１７、１８、及び１９に記載の方法であって、
ネットワーク要素をプロビジョニングすることは、更に、前記ネットワークに関連する公開キー情報を前記ネットワーク要素に提供することを含む、方法。
[形態２１］
形態１４、１５、１６、１７、１８、１９、及び２０に記載の方法であって、
前記第２のストレージデバイスを使用して前記ネットワーク要素を管理することは、更に、前記ネットワーク要素にコールバック情報を提供し、前記要素を前記管理要素に接続可能にすることを含む、方法。
[形態２２］
形態１４、１５、１６、１７、１８、１９、２０、及び２１に記載の方法であって、更に、
前記第２のストレージデバイス上の前記ネットワークデータ及びスクリプトが前記ネットワーク要素によって実行される又は読み出される前に、前記データ及びスクリプトの署名を検証することを備える方法。
[形態２３］
形態１４、１５、１６、１７、１８、１９、２０、２１、及び２２に記載の方法であって、
接続を切断することは、更に、前記ネットワーク要素から前記第２のストレージデバイスを取り除くことを含む、方法。
[形態２４］
形態１４、１５、１６、１７、１８、１９、２０、２１、２２、及び２３に記載の方法であって、
前記第１及び第２のストレージデバイスは、ＵＳＢキーである、方法。
[形態２５］
ネットワーク内の要素を管理する方法であって、
ネットワーク要素に対して技術者デバイスを認証するために、前記ネットワーク要素に第１のＵＳＢキーを挿入することと、
前記第１のＵＳＢキーを使用して、前記要素と前記デバイスとの間に接続を確立することであって、前記ネットワーク要素は、前記デバイスとの前記接続を開始する、ことと、
前記ネットワーク要素に第２のＵＳＢキーを挿入することと、
前記ネットワーク要素を管理する目的で、ネットワーク要素データを取り出すことと、
前記第２のＵＳＢキーを使用して、前記ネットワーク要素を管理することと、
を備える方法。